(57)【要約】      （修正有）【課題】皮膚細胞レベルでの刺激作用を実現可能とすることで、皮膚に対して痛みを伴わず、しかも、深部の筋肉組織だけでなく表面の皮膚細胞にも効率的に作用できるようにした電気刺激による美容器具を提供する。【解決手段】美容器具１は、人体に流れている生体電流と同じ微弱電流による電気刺激を身体に作用させる電流制御装置２を備える。電流制御装置２の微弱電流は、その電流値が４０ｕＡ〜８００ｕＡ（好ましくは１００ｕＡ〜２００ｕＡ）の範囲の交流電流もしくは直流電流とし、交流用アダプタ、乾電池の２種類の電源を使用可能にする。また、美容器具１は、皮膚当て用もしくはバス用の一対のパッド３Ａ，３Ｃタイプ、両手に嵌める一対の導電性手袋によるグローブ３Ｂタイプのいずれかによって構成する。【選択図】図１
0003117166.tif 000002
【実用新案登録請求の範囲】
【請求項１】
電気刺激を利用した美容器具であって、この電気刺激は、人体に流れている生体電流と同じ微弱電流を身体に作用させる電流制御装置を備えたことを特徴とする美容器具。
【請求項２】
電流制御装置の微弱電流は、その電流値が４０ｕＡ〜８００ｕＡの範囲の交流電流もしくは直流電流である請求項１に記載の美容器具。
【請求項３】
電流制御装置の微弱電流は、その電流値が１００ｕＡ〜２００ｕＡの範囲の交流電流もしくは直流電流である請求項１に記載の美容器具。
【請求項４】
電流制御装置は、交流用アダプタ、乾電池の２種類の電源を使用可能にした請求項１乃至３のいずれかに記載の美容器具。
【請求項５】
美容器具は、皮膚当て用もしくはバス用の一対のパッドタイプに構成されている請求項１乃至４のいずれかに記載の美容器具。
【請求項６】
美容器具は、両手に嵌める一対の導電性手袋によるグローブタイプに構成されている請求項１乃至４のいずれかに記載の美容器具。
【請求項７】
電流制御装置は、出力電流が４０ｕＡ〜８００ｕＡ、発振周波数が０．１Ｈｚ〜３００Ｈｚの交流波形電流を同時に出力可能にした請求項１または２、請求項４のいずれかに記載の美容器具。
【請求項８】
粘着面を有するコンパクトサイズのプレートによって形成されたパッドタイプの美容器具であって、該美容器具に、人体に流れている生体電流と同じ微弱電流を身体に作用させる電流制御装置を備えたことを特徴とする美容器具。
【請求項９】
両手に嵌める一対の導電性手袋によるグローブタイプの美容器具であって、該美容器具に、人体に流れている生体電流と同じ微弱電流を身体に作用させる電流制御装置を備えたことを特徴とする美容器具。
【考案の詳細な説明】
【技術分野】
【０００１】
本考案は、肌の健康、美容等を目的として使用する電気刺激を利用した美容器具に関するものである。
【背景技術】
【０００２】
従来、この種の美容器具としては、低周波による交流波形の電気刺激を使用したものが大半を占める。すなわち、低周波の出力を抑え、低周波特有の痛みを軽減させたものが微弱電流として販売されている場合が多い。
【特許文献１】特に無し
【考案の開示】
【考案が解決しようとする課題】
【０００３】
しかしながら、従来の交流波形による電気刺激を使用した美容器具においては、皮膚を刺激する低周波による電気刺激は、当該皮膚に対して痛みを伴うことがあり、しかも、低周波は表面の皮膚細胞に作用せずに深部の筋肉組織だけに作用してしまうという問題点を有していた。
【０００４】
そこで、本考案は如上のような従来存した諸事情に鑑み創案されたもので、皮膚細胞レベルでの刺激作用を実現可能とすることで、皮膚に対して痛みを伴わず、しかも、深部の筋肉組織だけでなく表面の皮膚細胞にも効率的に作用できるようにした電気刺激による美容器具を提供することを目的とする。
【課題を解決するための手段】
【０００５】
上述した目的を達成するため、本考案は、電気刺激を利用した美容器具であって、この電気刺激は、人体に流れている生体電流と同じ微弱電流を身体に作用させる電流制御装置を備えたことで、上述した課題を解決した。
【０００６】
また、電流制御装置の微弱電流は、その電流値が４０ｕＡ〜８００ｕＡの範囲の交流電流もしくは直流電流であることで、同じく上述した課題を解決した。
【０００７】
さらに、電流制御装置の微弱電流は、その電流値が１００ｕＡ〜２００ｕＡの範囲の交流電流もしくは直流電流であることで、同じく上述した課題を解決した。
【０００８】
また、電流制御装置は、交流用アダプタ、乾電池の２種類の電源を使用可能にしたことで、同じく上述した課題を解決した。
【０００９】
加えて、美容器具は、皮膚当て用もしくはバス用の一対のパッドタイプに構成されていることで、同じく上述した課題を解決した。
【００１０】
また、美容器具は、両手に嵌める一対の導電性手袋によるグローブタイプに構成されていることで、同じく上述した課題を解決した。
【００１１】
さらに、電流制御装置は、出力電流が４０ｕＡ〜８００ｕＡ、発振周波数が０．１Ｈｚ〜３００Ｈｚの交流波形電流を同時に出力可能にしたことで、同じく上述した課題を解決した。
【００１２】
この他、粘着面を有するコンパクトサイズのプレートによって形成されたパッドタイプの美容器具であって、該美容器具に、人体に流れている生体電流と同じ微弱電流を身体に作用させる電流制御装置を備えたことで、同じく上述した課題を解決した。
【００１３】
また、両手に嵌める一対の導電性手袋によるグローブタイプの美容器具であって、該美容器具に、人体に流れている生体電流と同じ微弱電流を身体に作用させる電流制御装置を備えたことで、同じく上述した課題を解決した。
【００１４】
人体における生体電流は、１００ｕＡ〜２００ｕＡの範囲内にある微弱電流であり、これは細胞膜内外に生じる電位差によって生じ、ホルモン等の化学物質と並んで神経組織を中心とした情報伝達機能の中核を成す。
【００１５】
また、この生体電流が皮膚の深部から肌の表面に常に一定のバランスで電流が流れることで、皮膚の新陳代謝機能や細胞増殖機能を促すものであり、この生体電流の乱れが体内の新陳代謝機能や細胞増殖機能等を脅かす原因となっている。
【００１６】
このため、美容器具による電気刺激を、人体に流れている生体電流と同じ１００ｕＡ〜２００ｕＡの範囲にある微弱電流とすることで、当該電気刺激が体内の生体電流に共鳴して生体電流自体のバランスを取り戻し、これにより、皮膚の新陳代謝機能や細胞増殖機能の改善を行なうものである。
【考案の効果】
【００１７】
本考案によれば、皮膚細胞レベルでの刺激作用を実現可能とすることで、皮膚に対して痛みを伴わず、しかも、深部の筋肉組織だけでなく表面の皮膚細胞にも効率的に作用することができる。
【００１８】
すなわち、電気刺激は、人体に流れている生体電流と同じ１００ｕＡ〜２００ｕＡの範囲にある交流電流もしくは直流電流を発生可能とした電流制御装置による微弱電流を身体に作用させるので、微弱電流が体内の生体電流に共鳴して皮膚細胞に電気刺激を与えることができ、これにより、刺激指令が細胞や脳にまで伝達されて、コラーゲンや細胞活性化を促し、皮膚のシワやタルミの効果的な改善が可能となる。
【００１９】
この他、凝りや頭痛の解消、肌の染みや浮腫みの改善、ダイエット効果や美肌効果、枝毛・切れ毛・抜け毛等の防止にも十分に効果を発揮することができる。このように、本発明によれば、家庭用の美容器具としての地位を確立するだけでなく、エステサロンと略同じ機能を実現させることができる。
【００２０】
また、電流制御装置は、交流用アダプタ、乾電池の２種類の電源を使用可能にしたので、交流用アダプタにより家庭用電源で使用したり、あるいは、乾電池使用により、電源の無い外出先や車両内等で使用したりすることができる。
【００２１】
さらに、美容器具は、皮膚当て用もしくはバス用の一対のパッドタイプ、両手に嵌める一対の導電性手袋によるグローブタイプのいずれかによって構成したので、これらのタイプの付属のアクセサリーによって、身体の様々な部位に使用することができる。
【考案を実施するための最良の形態】
【００２２】
以下に、本考案を実施するための最良の形態を、図面を参照して説明する。
【００２３】
本考案に係る美容器具１は、電気刺激を利用した美容器具である。この美容器具１は、図１に示すように、コンパクトな鏡付きケース体によって形成されている。
【００２４】
美容器具１を構成する電流制御装置２は、例えば、側面に出力端子差し込み口２Ａが設けられ、該出力端子差し込み口２Ａに、皮膚への粘着面を有する、例えば、数センチ程度の大きさの円形状もしくは矩形状を呈するコンパクトサイズのプレートによって形成された一対の皮膚当て用パッド３Ａ、両手に嵌める一対の導電性手袋によるグローブ３Ｂ、一対のバス用パッド３Ｃのそれぞれを、接続コード４によって個別に差し込んで接続されるように構成されている。
【００２５】
尚、前記皮膚当て用パッド３Ａは導電性ゴム材によって形成し、グローブ３Ｂは銀または銅等を電気抵抗１ｋΩ以下となるように混入した導電性繊維素材によって形成してある。
【００２６】
電流制御装置２は、出力電流が４０ｕＡ〜８００ｕＡである。そして、特に人体に流れている生体電流と同じ１００ｕＡ〜２００ｕＡの範囲の交流電流もしくは直流電流である微弱電流が主に発生するようにしてある。このときの交流電流の発振周波数は０．１Ｈｚ〜３００Ｈｚの範囲にある。この微弱電流による電気刺激は、体内の生体電流に共鳴することで生体電流自体のバランスを取り戻す作用があり、これにより、皮膚の新陳代謝機能や細胞増殖機能等の改善が効率的に行なわれるものである。
【００２７】
尚、電流制御装置２は、例えば、筋肉トレーニング・リラックス・マッサージ等のために、出力電流が４０ｕＡ〜８００ｕＡ、発振周波数が０．１Ｈｚ〜３００Ｈｚの交流波形電流を同時に出力できるようにしても良い。
【００２８】
電流制御装置２は、図２に示すように、中央処理装置（ＣＰＵ）５に接続された操作パネル６の入力部６ＡからのＯＮ信号により、当該中央処理装置（ＣＰＵ）５が作動して、予め中央処理装置（ＣＰＵ）５内に組み込まれたプログラムによって電流制御回路を制御し、増幅部７を経て、出力端子差し込み口２Ａに接続されている出力部８に交流電流もしくは直流電流である微弱電流が出力されるものである。このとき操作パネル６の入力部６Ａには、微弱電流の交流電流または直流電流の切替ができる切替えスイッチが設けられている。
【００２９】
また、この操作パネル６には、表示部６Ｂが設けられ、当該操作パネル６からの入力信号による出力調整、タイマー設定、メニュー設定等の作動状況が、中央処理装置（ＣＰＵ）５からの操作パネル６への信号により当該表示部６Ｂで確認できるようにしてある。
【００３０】
また、中央処理装置（ＣＰＵ）５は、交流用アダプタに構成された電源部９Ａと、例えば、９Ｖの乾電池による電源部９Ｂとにそれぞれ接続されている。さらに、中央処理装置（ＣＰＵ）５には、電子音による確認発声部１０が接続され、電流制御装置２の作動状況やメニュー切替、タイマー切替、出力調整切替等の確認を電子音によって知らせるようにしてある。
【００３１】
次に、以上のように構成された本考案の最良の形態について、使用・動作の一例を説明する。
【００３２】
まず、図１に示すように、一対の皮膚当て用パッド３Ａ、両手に嵌める一対の導電性手袋によるグローブ３Ｂ、一対のバス用パッド３Ｃのいずれかを選択し、電流制御装置２の出力端子差し込み口２Ａに接続コード４を差し込んで接続する。
【００３３】
そして、操作パネル６の入力部６Ａを手で操作して、出力調整、タイマー、メニュー等を設定すると共に、操作パネル６の入力部６Ａの切替えスイッチにより、微弱電流の交流電流または直流電流のいずれかを選択する。
【００３４】
このとき、中央処理装置（ＣＰＵ）５が作動して、予め中央処理装置（ＣＰＵ）５内に組み込まれたプログラムによって電流制御回路を制御し、増幅部７を経て、出力端子差し込み口２Ａに接続されている出力部８から接続コード４を通って皮膚当て用パッド３Ａ・グローブ３Ｂ・バス用パッド３Ｃ等に微弱電流が出力される。
【００３５】
そして、皮膚当て用パッド３Ａの場合は、この一対を少し離した状態で、オプションのジェルまたは粘着パッドを使用して顔、頭、腰、肩、足裏、腕、手等に当てて使用する。
【００３６】
グローブ３Ｂの場合は、この一対を両手に装着してから首に当てたり、足首、脹脛、太股等に当ててさすったりして使用する。
【００３７】
一対のバス用パッド３Ｃの場合は、この一対を浴槽内で湿らせながら腰、肩、腕、足、腹等の筋肉部位に接触させて使用する。
【００３８】
尚、グローブ３Ｂを頭部の両側に当ててから、ヘアーキャップかタオル等で密着しても良い。また、バスタブの湯船の中にバス用パッド３Ｃとバスソルトを入れて入浴すれば、腕、腰、腹等の痩せ等に効果がある。
【００３９】
そして、皮膚当て用パッド３Ａ・グローブ３Ｂ・バス用パッド３Ｃ等の接触した部位間に直流または交流の微弱電流が通電され、この電気刺激が体内の生体電流に共鳴することで、生体電流自体のバランスを取り戻す作用が生じ、これにより、皮膚の新陳代謝機能や細胞増殖機能等の改善が効率的に行なわれる。
【産業上の利用可能性】
【００４０】
本考案は、皮膚細胞レベルでの刺激作用を実現可能とすることで、皮膚に対して痛みを伴わず、しかも、深部の筋肉組織だけでなく表面の皮膚細胞にも効率的に作用できるようにした電気刺激を与えるものとして、種々の美容器具に広く利用されるものである。
【図面の簡単な説明】
【００４１】
【図１】本考案を実施するための最良の形態における美容器具の使用状態を示した斜視図である。
【図２】美容器具の電流制御装置の信号伝達経路を示した説明図である。
【符号の説明】
【００４２】
１…美容器具                        ２…電流制御装置
２Ａ…出力端子差し込み口            ３Ａ…皮膚当て用パッド
３Ｂ…グローブ                      ３Ｃ…バス用パッド
４…接続コード                      ５…中央処理装置（ＣＰＵ）
６…操作パネル                    ６Ａ…入力部
６Ｂ…表示部                          ７…増幅部
８…出力部                        ９Ａ…電源部
９Ｂ…電源部                        １０…確認発声部
【図１】
0003117166.tif 000003
【図２】
0003117166.tif 000004